(57)【特許請求の範囲】
【請求項１】
交差する二つの壁面によって形成されるコーナー部近傍の当該壁面に形成された貫通口から取り出され当該コーナー部を経由して壁面に沿って略Ｌ字状に配索される配索体の外側を覆うコーナー部の保護カバーにおいて、
前記コーナー部をなす二つの壁面のうち前記貫通口が形成された壁面に沿い、貫通口を覆うとともに貫通口からコーナー部までの間で当該壁面に沿って配索される配索体を覆うように、所定区間に亘って略一定断面形状で延設される第一の被覆部と、
前記コーナー部をなす二つの壁面のうち他方の壁面に沿い、コーナー部から当該他方の壁面に沿って配索される配索体を覆い、別の保護カバーを嵌合させて接続するための接続口が形成される第二の被覆部と、を備え、
前記第一および第二の被覆部が全体的に略Ｌ字状に一体形成され、
前記第一の被覆部は、前記壁面に対して垂直方向に立ち上がるとともに、それぞれが平行に対峙する上下一対の側壁と、これら両側壁のコーナー部から離れる方向の先端間を弧状に閉塞する端壁と、それら両側壁および端壁の前記壁面から遠ざかる方向の先端間を閉塞する天井壁とによって断面略コ字状に形成されており、
また、前記第二の被覆部は、第二のカバー部と、該第二のカバー部に嵌合して前記コーナー部から他方の壁面に沿って配索される配索体をその内部に収容して覆う第二のベース部とで構成され、第二のカバー部は、前記第一の被覆部のコーナー部側端部に一体に形成され、前記第一の被覆部の両側壁から連続して直角に屈曲する上下一対の側壁と、これら両側壁の前記壁面から遠ざかる方向の先端間を閉塞する天井壁と、によって断面略Ｕ字状に形成されており、第二のベース部は、第二のカバー部の両側壁の内側に重なり合う両側壁と、これら両側壁の壁面側の基端間を連結する底壁と、によって断面略逆Ｕ字状に形成されており、第二のカバー部の両側壁内に第二のベース部の両側壁を嵌合することにより、前記第二の被覆部に矩形状の閉塞断面とした接続口を前記コーナー部の反対側に形成し、前記接続口を、前記別の保護カバーと同形状としたことを特徴とするコーナー部の保護カバー。
【請求項２】
前記第一の被覆部は、前記貫通口の周縁部に予め取り付けられた化粧カバーを覆うフランジ部を備えたことを特徴とする請求項１に記載のコーナー部の保護カバー。
【発明の詳細な説明】
【技術分野】
【０００１】
本発明は、壁面の貫通口から取り出されコーナー部を経由して壁面に沿って略Ｌ字状に配索される管状体や配線等の配索体の外側を覆うコーナー部の保護カバーに関する。
【背景技術】
【０００２】
エアコンは室外機と室内機とを冷媒管で接続して冷媒を循環させるようになっており、一般に冷媒管は室外機から外壁に沿って室内機の配置部分まで配索した後、その外壁を貫通して室内機へと案内されるが、そのとき、室外および室内の壁面に沿って配索される冷媒管を保護カバーによって覆う場合がある（例えば、特許文献１参照）。
【特許文献１】特開平９−２５０６８１号公報（第２頁、第６図）。
【発明の開示】
【発明が解決しようとする課題】
【０００３】
ところで、二つの壁面が交差するコーナー部（隅部）の近傍に管状体を挿通させる貫通口が形成された場合には、当該貫通口から引き出した管状体を、コーナー部を経由して略Ｌ字状に配索する状況となることがある。
【０００４】
この際、コーナー部から貫通口までの距離が十分に離れているときには、貫通口の取り出し部分を覆う取り出しカバーと、コーナー部を覆うエルボ状カバーと、これら両カバーを繋ぐ直線状のカバーと、の３つのカバーを組み合わせることにより容易にかつ見栄え良く対応することができる。
【０００５】
また、コーナー部から貫通口までの距離が近接しているときには、一つのコーナーカバーで対応することができる。
【０００６】
ところが、コーナー部から貫通口までの距離が、上記三つのカバーで対応できる距離よりも短く、かつ、上記一つのコーナーカバーで対応できる距離よりも長い場合は、前記いずれのカバーをも用いることができなくなるため、その対策として、屈曲自在な蛇腹チューブ（フリージョイント）が使用されていた。
【０００７】
この場合、管状体を配索した一般部分が意匠的に優れた通常の保護カバーで覆われるのに対して、貫通口の取り出し部分のみに蛇腹チューブを設けることになるが、かかる蛇腹チューブは管状体に挿通する必要があるため作業性が悪く、かつ、外観上の見栄えも悪いものとなる。
【０００８】
そこで、本発明は、貫通口がコーナー部近傍に設けられた場合に、コーナー部から貫通口までの距離に拘わらず、外観上の見栄えおよび作業性を向上することができるコーナー部の保護カバーを得ることを目的とする。
【課題を解決するための手段】
【０００９】
請求項１の発明にあっては、交差する二つの壁面によって形成されるコーナー部近傍の当該壁面に形成された貫通口から取り出され当該コーナー部を経由して壁面に沿って略Ｌ字状に配索される配索体の外側を覆うコーナー部の保護カバーにおいて、前記コーナー部をなす二つの壁面のうち前記貫通口が形成された壁面に沿い、貫通口を覆うとともに貫通口からコーナー部までの間で当該壁面に沿って配索される配索体を覆うように、所定区間に亘って略一定断面形状で延設される第一の被覆部と、前記コーナー部をなす二つの壁面のうち他方の壁面に沿い、コーナー部から当該他方の壁面に沿って配索される配索体を覆い、別の保護カバーを嵌合させて接続するための接続口が形成される第二の被覆部と、を備え、前記第一および第二の被覆部が全体的に略Ｌ字状に一体形成され、前記第一の被覆部は、前記壁面に対して垂直方向に立ち上がるとともに、それぞれが平行に対峙する上下一対の側壁と、これら両側壁のコーナー部から離れる方向の先端間を弧状に閉塞する端壁と、それら両側壁および端壁の前記壁面から遠ざかる方向の先端間を閉塞する天井壁とによって断面略コ字状に形成されており、また、前記第二の被覆部は、第二のカバー部と、該第二のカバー部に嵌合して前記コーナー部から他方の壁面に沿って配索される配索体をその内部に収容して覆う第二のベース部とで構成され、第二のカバー部は、前記第一の被覆部のコーナー部側端部に一体に形成され、前記第一の被覆部の両側壁から連続して直角に屈曲する上下一対の側壁と、これら両側壁の前記壁面から遠ざかる方向の先端間を閉塞する天井壁と、によって断面略Ｕ字状に形成されており、第二のベース部は、第二のカバー部の両側壁の内側に重なり合う両側壁と、これら両側壁の壁面側の基端間を連結する底壁と、によって断面略逆Ｕ字状に形成されており、第二のカバー部の両側壁内に第二のベース部の両側壁を嵌合することにより、前記第二の被覆部に矩形状の閉塞断面とした接続口を前記コーナー部の反対側に形成し、前記接続口を、前記別の保護カバーと同形状としたことを特徴とする。
【００１０】
請求項２の発明にあっては、上記第一の被覆部は、上記貫通口の周縁部に予め取り付けられた化粧カバーを覆うフランジ部を備えたことを特徴とする。
【発明の効果】
【００１１】
請求項１の発明によれば、所定区間に亘って略一定断面形状で延設される第一の被覆部によって、当該所定区間内に収まる範囲内においては貫通口とコーナー部との間の距離にかかわらず貫通口からコーナー部に至る配索体を覆うことができるとともに、第二の被覆部によってコーナー部より先（貫通口の反対側）の配索体を覆うことができる。
【００１２】
そして、上記第一の被覆部と上記第二の被覆部とは略Ｌ字状に一体形成されているため、一つの保護カバーによって対応させることができるため、作業性を向上することができるとともに、外観上の見栄えも良好なものとすることができる。
【００１３】
請求項２の発明によれば、第一の被覆部にフランジ部を設けて、上記貫通口の周縁部に予め取り付けられた化粧カバーを覆うことができるので、その化粧カバーを取り外すことなく保護カバーの取り付けが可能となり、この点からも作業性をさらに向上することができる。
【発明を実施するための最良の形態】
【００１４】
以下、本発明の実施形態について図面を参照しつつ詳細に説明する。
【００１５】
図１〜図７は本発明にかかるコーナー部の保護カバーの一実施形態を示し、図１は、保護カバーを壁面に取り付けた状態を示す斜視図、図２は、保護カバーを壁面に取り付ける手順を示す分解斜視図であり、図３は、コーナー部の保護カバーの斜視図、図４は、コーナー部の保護カバーを表側から見た分解斜視図、図５は、コーナー部の保護カバーを裏側から見た分解斜視図である。
【００１６】
また、図６は、図３中Ａ−Ａ線に沿った要部拡大断面図、図７は、図６中Ｂ部の拡大断面図である。
【００１７】
本実施形態にかかるコーナー部の保護カバー１０は、図１に示すように、壁面１のコーナー部２に取り付けられるもので、図２に示すように、そのコーナー部２の近傍に形成された貫通口３から取り出された配索体としてのエアコンの冷媒管４のコーナー部２に配索される部分を覆うようになっている。
【００１８】
保護カバー１０は、貫通口３とコーナー部２との間の距離Ｌ（図２参照）以上の長さＬ１を有してその貫通口３を包含し、貫通口３からコーナー部２に至る冷媒管４を覆う第一の被覆部１１と、その第一の被覆部１１のコーナー部２側端部からそのコーナー部２に沿って折曲される第二の被覆部１２と、によって全体的に略Ｌ字状に一体形成してある。
【００１９】
すなわち、第一の被覆部１１は、図１〜図３にも示すように、壁面１に対して垂直方向に立ち上がるとともに、それぞれが平行に対峙する上下一対の側壁１１ａ，１１ｂと、これら両側壁１１ａ，１１ｂのコーナー部２から離れる方向の先端間を弧状に閉塞する端壁１１ｃと、それら両側壁１１ａ，１１ｂおよび端壁１１ｃの壁面１から遠ざかる方向の先端間を閉塞する天井壁１１ｄと、によって断面略コ字状に形成される。
【００２０】
このとき、両側壁１１ａ，１１ｂの間隔Ｗ（図５参照）は、貫通口３の直径Ｄ（図２参照）と略等しく形成され、天井壁１１ｄが配置される部分は、第一の被覆部１１の長さ方向に略一定の断面形状で延設される。
【００２１】
また、第二の被覆部１２は、第二のカバー部１３と第二のベース部１４とで構成される。
【００２２】
このうち、第二のカバー部１３は、第一の被覆部１１のコーナー部２側端部に一体に形成され、両側壁１１ａ，１１ｂから連続して直角に屈曲する上下一対の側壁１３ａ，１３ｂと、これら両側壁１３ａ，１３ｂの壁面１から遠ざかる方向の先端間を閉塞する天井壁１３ｃと、によって断面略Ｕ字状に形成される。
【００２３】
一方、第二のベース部１４は、第二のカバー部１３の両側壁１３ａ，１３ｂの内側に重なり合う両側壁１４ａ，１４ｂと、これら両側壁１４ａ，１４ｂの壁面１側の基端間を連結する底壁１４ｃと、によって断面略逆Ｕ字状に形成される。
【００２４】
そして、第二のカバー部１３の両側壁１３ａ，１３ｂ内に第二のベース部１４の両側壁１４ａ，１４ｂを嵌合することにより、第二の被覆部１２による矩形状の閉塞断面が構成される。そして、コーナー部２の反対側には接続口１２Ａが形成され、図１，図２に示すように、この接続口１２Ａに、冷媒管４の一般部分を覆う保護カバー本体２０が接続される。
【００２５】
また、第一の被覆部１１は、貫通口３の周縁部に予め取り付けられた化粧カバー５を覆うフランジ部１５を備えている。
【００２６】
すなわち、建物の壁面１にはそれの建築段階で予め貫通口３が形成されたものがあり、その場合、典型的には、その貫通口３の周縁部をリング状の化粧カバー５の取付けによって保護するようにしてある。
【００２７】
フランジ部１５は、第一の被覆部１１の両側壁１１ａ，１１ｂおよび端壁１１ｃの壁面１側基端から所定幅ｗ（図５参照）をもって外方に突出し、そのフランジ部１５の周縁部には壁面１方向に連続して折曲する周壁１５ａが形成され、その周壁１５ａの先端が壁面１に略気密状態で密接するようになっている。
【００２８】
フランジ部１５の先端部と第二の被覆部１２の底壁１４ｃには取付穴１６，１７が形成されており、これら取付穴１６，１７に挿通したビスやクリップ等の締結部材を介して保護カバー１０を壁面１に取り付けるようになっている。
【００２９】
フランジ部１５に形成した取付穴１６の表側は、図４に示すように凹設されており、その凹設部１６ａをキャップ１６ｂで覆うことにより、締結部材の頭部を隠蔽して外観上の見栄えを良くしてある。
【００３０】
ところで、図３に示すように、第二の被覆部１２の接続口１２Ａには、図４，図５にも示すように第二のベース部１４の底壁１４ｃから保護カバー本体２０の接続方向に舌状突出部３０を突設し、保護カバー本体２０の底壁２０ａ（図１，図２参照）に形成した凹部３１に差し込むことにより、第二の被覆部１２の底壁１４ｃと保護カバー本体２０の底壁２０ａとの面位置を整合して、それら底壁１４ｃ，２０ａを全体的に壁面に当接させ、壁面１との間に隙間が形成されるのを防止できるようにしてある。
【００３１】
また、舌状突出部３０の両側部分には切欠き凹部３１を形成して、保護カバー本体２０を現場で切断した際の端末切断面の寸法誤差を吸収できるようにしてあるとともに、第二のカバー部１３の接続口１２Ａの内側を凹設して保護カバー本体２０を嵌合する薄肉部３２を形成し、当該薄肉部３２の内側面および舌状突出部３０の基部に保護カバー本体２０の端末を突き当てる突起部３３を形成してある。
【００３２】
さらに、第二のベース部１４の底壁１４ｃの壁面１側端部両側には、フランジ部１５および周壁１５ａの壁面１側端に形成される開口部１５ｂ（図５参照）を閉塞する端板１４ｄを突設してある。
【００３３】
一方、図４，図５に示すように、第二のベース部１４の両側壁１４ａ，１４ｂの外側には、それらの起立方向に延びる浅い溝部３４を形成する一方、第二のカバー部１３の両側壁１３ａ，１３ｂの内側には、溝部３４に嵌合される凸部３５およびストッパー３６を突設してあり、第二のベース部１４に第二のカバー部１３を嵌合して組み付ける際に、溝部３４が凸部３５にガイドされるとともに、組み付け完了時に両側壁１４ａ，１４ｂの先端がストッパー３６に当接して位置決めされ、かつ、凸部３５が溝部３４の形成終端に形成した凹部３７に係合して抜止めされるようにしてある。
【００３４】
また、保護カバー１０には、第一の被覆部１１の端壁１１ｃおよび天井壁１１ｄと第二のカバー部１３の天井壁１３ｃ、さらには保護カバー本体２０の天井壁２０ｂのそれぞれの表面には、図６に示すように、長さ方向に連続する縦縞状のトレッド３８が形成され、このトレッド３８によって作業上の滑り止めと意匠効果の向上が図られる。
【００３５】
トレッド３８は、図７に示すように、曲率半径の大きな円弧状凹部３８ａを幅方向に複数並設して形成され、それぞれの円弧状凹部３８ａの境界部には角の有る稜線３８ｂが形成されるとともに、図６に示すように、トレッド３８は幅方向中央部の所定範囲Ｓ１に形成され、その形成範囲Ｓ１は両側の無形成範囲Ｓ２よりも十分に広く設定される。そして、このようにトレッド３８を円弧状に形成したことで、トレッド３８内に塵芥や汚れ等が残存しにくくなる上、掃除しやすくなるという利点がある。
【００３６】
また、上記保護カバー１０については、図２に示すように、取付穴１７を介して第二のベース部１４を壁面１のコーナー部２に取り付け、その第二のベース部１４に保護カバー本体２０を接続した後、図１に示すように、第一の被覆部１１で貫通口３を覆いつつ第二のカバー部１３を第二のベース部１４に被せるように嵌合し、その第一の被覆部１１を取付穴１６を介して壁面１に取り付けることになる。
【００３７】
以上の構成により、本実施形態にかかるコーナー部の保護カバー１０によれば、距離Ｌ以上の長さＬ１の区間に亘り略一定断面形状で壁面１の貫通口３とコーナー部２との間に延設されて当該貫通口３を包含し、貫通口３からコーナー部２に至る冷媒管４を覆う第一の被覆部１１と、その第一の被覆部１１のコーナー部２側端部からそのコーナー部２に沿って折曲されてコーナー部２より先（貫通口３の反対側）の配索体を覆う第二の被覆部１２と、によって全体的に略Ｌ字状に一体形成したので、貫通口３とコーナー部２との間の距離にかかわらず、貫通口３を覆いつつその貫通口３からコーナー部２に配索した冷媒管４を覆うことができる。
【００３８】
そして、上記第一の被覆部１１と第二の被覆部１２とは略Ｌ字状に一体形成されているため、一つの保護カバー１０によって対応させることができるため、作業性を向上することができるとともに、外観上の見栄えも良好なものとすることができる。
【００３９】
また、第一の被覆部１１にフランジ部１５を設けて、貫通口３の周縁部に予め取り付けられた化粧カバー５を覆うようにしたので、その化粧カバー５を取り外すことなく保護カバー１０の取り付けが可能となり、この点からも作業性をさらに向上することができる。
【００４０】
以上、本発明を上記実施形態に例をとって説明したが、本発明は上記実施形態に限られるものではなく、本発明の要旨を逸脱しない範囲で他の実施形態を各種採用することができる。
【００４１】
例えば、上記実施形態では、冷媒管４を配索体としてこれを保護カバー１０で覆った場合を示したが、その他の管状体や配線等の配索体にあっても本発明を適用することができる。
【図面の簡単な説明】
【００４２】
【図１】本発明の一実施形態における保護カバーを壁面に取り付けた状態を示す斜視図。
【図２】本発明の一実施形態における保護カバーを壁面に取り付ける手順を示す分解斜視図。
【図３】本発明の一実施形態におけるコーナー部の保護カバーの斜視図。
【図４】本発明の一実施形態におけるコーナー部の保護カバーを表側から見た分解斜視図。
【図５】本発明の一実施形態におけるコーナー部の保護カバーを裏側から見た分解斜視図。
【図６】図３中Ａ−Ａ線に沿った要部拡大断面図。
【図７】図６中Ｂ部の拡大断面図。
【符号の説明】
【００４３】
１  壁面
２  コーナー部
３  貫通口
４  冷媒管（配索体）
５  化粧カバー
１０  保護カバー
１１  第一の被覆部
１２  第二の被覆部
１２Ａ  接続口
１５  フランジ部
２０  保護カバー本体（別の保護カバー）
【図１】
0004631677.tif 000002
【図２】
0004631677.tif 000003
【図３】
0004631677.tif 000004
【図４】
0004631677.tif 000005
【図５】
0004631677.tif 000006
【図６】
0004631677.tif 000007
【図７】
0004631677.tif 000008